(57)【要約】【構成】クルーズ船に搭乗した観光客（被検者）の断層画像は、クルーズ船に搭載された洋上ＭＲＩシステム１０をなすモダリティによって撮影される。モダリティに付随する通信用ゲートウェイは、撮影された断層画像が収められた画像ファイルを移動体通信網６０を介して読影サーバ２０にアップロードする。読影医は、読影サーバ２０に蓄積された画像ファイル内の断層画像を読影して読影レポートを作成し、作成された読影レポートを読影サーバ２０に保存する。通信用ゲートウェイは、保存された読影レポートを移動体通信網６０を介してダウンロードする。ダウンロードされた読影レポートは、クルーズ船内で被検者に手渡される。【効果】クルーズ船に搭乗した観光客は、航海中の空き時間を利用して気軽にジャパン・クォリティの健康診断を受けることができる。【選択図】図１
2017083972.tif 000002
【特許請求の範囲】
【請求項１】
船舶の乗客を被検者として医用画像を作成する医用画像診断装置とともに前記船舶に搭載される健康診断支援装置であって、
前記医用画像診断装置によって作成された医用画像を移動体通信網を介して読影サーバに送信する医用画像送信手段、および
前記医用画像送信手段の処理によって前記読影サーバに蓄積された医用画像を読影する読影医によって作成されかつ前記読影サーバに保存された読影レポートを前記移動体通信網を介して受信するレポート受信手段を備える、健康診断支援装置。
【請求項２】
複数の通信事業者の各々によって提供されるＭ個の通信回線（Ｍ：通信事業者によって異なり得る２以上の整数）からなるＮ個の通信回線（Ｎ：Ｍを上回る整数）がそれぞれ割り当てられ、前記医用画像送信手段および前記レポート受信手段の少なくとも一方の処理のために使用されるＮ個の無線通信回路をさらに備える、請求項１記載の健康診断支援装置。
【請求項３】
前記船舶の現在位置および前記現在位置の時刻の少なくとも一方に応じて異なる無線通信回路を前記Ｎ個の無線通信回路の中から選択する選択手段をさらに備える、請求項２記載の健康診断支援装置。
【請求項４】
前記選択手段は選択可能な無線通信回路の数を前記現在位置の時刻に応じて変更する変更手段を含む、請求項３記載の健康診断支援装置。
【請求項５】
前記変更手段は前記現在位置の時刻が混雑時間帯に属するとき前記選択可能な無線通信回路の数を抑制する、請求項４記載の健康診断支援装置。
【請求項６】
前記医用画像診断装置の状態が所定条件に合致したとき前記医用画像診断装置の状態を示す状態情報を前記移動体通信網を介して保守・管理サーバに送信する状態情報送信手段をさらに備える、請求項１ないし５のいずれかに記載の健康診断支援装置。
【請求項７】
前記移動体通信網は通信衛星を含み、
前記状態情報送信手段の処理に関連して前記通信衛星の使用を許可する許可手段をさらに備える、請求項６記載の健康診断支援装置。
【請求項８】
船舶の乗客を被検者として医用画像を作成する医用画像診断装置とともに前記船舶に搭載される健康診断支援装置によって実行される健康診断支援方法であって、
前記医用画像診断装置によって作成された医用画像を移動体通信網を介して読影サーバに送信する医用画像送信ステップ、および
前記医用画像送信ステップの処理によって前記読影サーバに蓄積された医用画像を読影する読影医によって作成されかつ前記読影サーバに保存された読影レポートを前記移動体通信網を介して受信するレポート受信ステップを備える、健康診断支援方法。
【請求項９】
船舶の乗客を被検者として医用画像を作成する医用画像診断装置とともに前記船舶に搭載される健康診断支援装置のプロセッサに、
前記医用画像診断装置によって作成された医用画像を移動体通信網を介して読影サーバに送信する医用画像送信ステップ、および
前記医用画像送信ステップの処理によって前記読影サーバに蓄積された医用画像を読影する読影医によって作成されかつ前記読影サーバに保存された読影レポートを前記移動体通信網を介して受信するレポート受信ステップを実行させるための、健康診断支援プログラム。
【発明の詳細な説明】
【技術分野】
【０００１】
この発明は、健康診断支援装置、健康診断支援方法および健康診断支援プログラムに関し、特に、クルーズ船を利用して訪日する外国人向けの健康診断を支援する、健康診断支援装置、健康診断支援方法および健康診断支援プログラムに関する。
【背景技術】
【０００２】
日本政府観光局（ＪＮＴＯ）による統計の資料によれば、訪日外客数は年々増加しており、２０１４年の訪日外客数は、総数で１３，４１３，４６７人に達したと報告されている（http://www.jnto.go.jp/jpn/reference/tourism_data/pdf/2013_15_tourists.pdf）。その内訳を見ると、その約８０％がアジアの国々からのインバウンドであり、台湾（２，８２９，８２１）、韓国（２，７５５，３１３）、中国（２，４０９，１５８）がその上位を占め、前年からの伸率は中国（８３．８％）、台湾（２８．０％）、韓国（１２．２％）の順である。
【０００３】
また、国土交通省観光庁によって公表された「訪日外国人の消費動向 訪日外国人消費動向調査結果及び分析」（http://www.mlit.go.jp/common/001084273.pdf）によれば、旅行消費額は中国、台湾、韓国の順で多い。これらの事から考えると、今後も中国・台湾が日本の地域振興策にとって重要なターゲットになることは間違いなさそうである。
【０００４】
ここで旅行消費額の内訳を見てみると、買物代（３５．２％）、宿泊料金（３０．１％）、飲食費（２１．３％）、交通費（１０．８％）がその大部分であり、娯楽・サービス費は全体の２．３％しかない。サービス費の中には医療ツーリズムでの消費も含まれていると考えられるが、現状では、Ｘ線ＣＴ，ＭＲＩなどのモダリティを用いた健康診断のようなジャパン・クォリティの医療サービスを十分にアピールできているとは言い難い。
【先行技術文献】
【特許文献】
【０００５】
【特許文献１】特開２００９−１８７５０６号公報
【発明の概要】
【発明が解決しようとする課題】
【０００６】
しかし、医療目的で訪日するごく少数の外国人を除き、観光目的で訪日する大多数の外国人がわざわざ病院受診に時間を費やさないのは無理もないことである。その一方、クルーズ船のような船舶で訪日する場合、訪日外国人は航海中に暇を持て余しがちであり、このような空き時間を利用した健康診断に対するニーズが潜在する可能性がある。
【０００７】
参考までに、中国・台湾などの外国では、Ｘ線ＣＴ，ＭＲＩなどのモダリティが日本ほど普及しておらず、気軽に検査を受けることが難しい。さらに、海外では予防医学という考えがあまり浸透しておらず（病気になってから病院へ検査に行く）、健康診断自体がない事が多い。
【０００８】
また、画像診断を依頼する施設と遠隔画像診断を行う画像診断医の間で医療画像と診断結果を直接やりとりする技術については、特許文献１に開示されている。
【０００９】
それゆえに、この発明の主たる目的は、船舶に搭乗した乗客が航海中の空き時間を利用して気軽にジャパン・クォリティの健康診断を受けることができる、健康診断支援装置、健康診断支援方法および健康診断支援プログラムを提供することである。
【課題を解決するための手段】
【００１０】
この発明に係る健康診断支援装置(16：実施例で相当する参照符号。以下同じ)は、船舶の乗客を被検者として医用画像を作成する医用画像診断装置(12)とともに船舶に搭載される健康診断支援装置であって、医用画像診断装置によって作成された医用画像を移動体通信網(60)を介して読影サーバ(20)に送信する医用画像送信手段(S7~S29)、および医用画像送信手段の処理によって読影サーバに蓄積された医用画像を読影する読影医によって作成されかつ読影サーバに保存された読影レポートを移動体通信網を介して受信するレポート受信手段(S37~S49)を備える。
【００１１】
好ましくは、複数の通信事業者の各々によって提供されるＭ個の通信回線（Ｍ：通信事業者によって異なり得る２以上の整数）からなるＮ個の通信回線（Ｎ：Ｍを上回る整数）がそれぞれ割り当てられ、医用画像送信手段およびレポート受信手段の少なくとも一方の処理のために使用されるＮ個の無線通信回路(1605_1~1605_9)がさらに備えられる。
【００１２】
さらに好ましくは、船舶の現在位置および現在位置の時刻の少なくとも一方に応じて異なる無線通信回路をＮ個の無線通信回路の中から選択する選択手段(S51~S73)がさらに備えられる。
【００１３】
また、選択手段が選択可能な無線通信回路の数を現在位置の時刻に応じて変更する変更手段(S55~S57, S63~S65, S71~S73)を含む場合、より好ましくは、変更手段は現在位置の時刻が混雑時間帯に属するとき選択可能な無線通信回路の数を抑制する。
【００１４】
好ましくは、医用画像診断装置の状態が所定条件に合致したとき医用画像診断装置の状態を示す状態情報を移動体通信網を介して保守・管理サーバ(40)に送信する状態情報送信手段(S91~S97)がさらに備えられる。
【００１５】
さらに好ましくは、移動体通信網は通信衛星(64)を含み、状態情報送信手段の処理に関連して通信衛星の使用を許可する許可手段(S87~S89)がさらに備えられる。
【００１６】
この発明に係る健康診断支援方法は、船舶の乗客を被検者として医用画像を作成する医用画像診断装置(12)とともに船舶に搭載される健康診断支援装置(16)によって実行される健康診断支援方法であって、医用画像診断装置によって作成された医用画像を移動体通信網(60)を介して読影サーバ(20)に送信する医用画像送信ステップ(S7~S29)、および医用画像送信ステップの処理によって読影サーバに蓄積された医用画像を読影する読影医によって作成されかつ読影サーバに保存された読影レポートを移動体通信網を介して受信するレポート受信ステップ(S37~S49)を備える。
【００１７】
この発明に係る健康診断支援プログラムは、船舶の乗客を被検者として医用画像を作成する医用画像診断装置(12)とともに船舶に搭載される健康診断支援装置(16)のプロセッサ(1602)に、医用画像診断装置によって作成された医用画像を移動体通信網(60)を介して読影サーバ(20)に送信する医用画像送信ステップ(S7~S29)、および医用画像送信ステップの処理によって読影サーバに蓄積された医用画像を読影する読影医によって作成されかつ読影サーバに保存された読影レポートを移動体通信網を介して受信するレポート受信ステップ(S37~S49)を実行させるための、健康診断支援プログラムである。
【発明の効果】
【００１８】
船舶の乗客（被検者）の医用画像は、船舶に搭載された医用画像診断装置によって作成される。健康診断支援装置は、作成された医用画像を移動体通信網を介して読影サーバに送信する。読影医は、当該医用画像を読影して読影レポートを作成し、作成された読影レポートを読影サーバに保存する。健康診断支援装置は、保存された読影レポートを移動体通信網を介して受信する。
【００１９】
受信された読影レポートは、船舶内で被検者に提供することができる。この結果、船舶に搭乗した乗客は、航海中の空き時間を利用して気軽にジャパン・クォリティの健康診断を受けることができる。
【００２０】
この発明の上述の目的，その他の目的，特徴および利点は、図面を参照して行う以下の実施例の詳細な説明から一層明らかとなろう。
【図面の簡単な説明】
【００２１】
【図１】この実施形態のネットワーク構成の一例を示すブロック図である。
【図２】図１に示す洋上ＭＲＩシステムの構成の一例を示すブロック図である。
【図３】図２に示すコンソールの構成の一例を示すブロック図である。
【図４】図２に示す通信用ゲートウェイの構成の一例を示すブロック図である。
【図５】（Ａ）は図４に示すＣＰＵによって参照される送信予約リストの一例を示す図解図であり、（Ｂ）は図４に示すＣＰＵによって参照される未受信レポートリストの一例を示す図解図である。
【図６】複数の通信事業者がそれぞれカバーする複数の通信エリアの分布状態とクルーズ船の航路の一例を示す図解図である。
【図７】図４に示すＣＰＵの動作の一部を示すフロー図である。
【図８】図４に示すＣＰＵの動作の他の一部を示すフロー図である。
【図９】図４に示すＣＰＵの動作のその他の一部を示すフロー図である。
【図１０】図４に示すＣＰＵの動作のさらにその他の一部を示すフロー図である。
【図１１】図４に示すＣＰＵの動作の他の一部を示すフロー図である。
【図１２】図４に示すＣＰＵの動作のその他の一部を示すフロー図である。
【図１３】図４に示すＣＰＵの動作のさらにその他の一部を示すフロー図である。
【発明を実施するための形態】
【００２２】
図１を参照して、この実施形態の洋上ＭＲＩシステム１０はクルーズ船のＭＲＩ室に設置され、インターネット５０の一部をなす移動体通信網６０と無線によって接続される。移動体通信網６０は、陸上に設けられて各々が４Ｇ通信方式に対応する複数の基地局６２ａ，６２ａ，…，６２ｂ，６２ｂ，…，６２ｃ，６２ｃ，…と、上空約３，６００ｋｍの軌道上に配された少なくとも１つの通信衛星６４とによって構成される。
【００２３】
基地局６２ａ，６２ａ，…は通信事業者Ａによって設置された基地局であり、基地局６２ｂ，６２ｂ，…は通信事業者Ｂによって設置された基地局であり、基地局６２ｃ，６２ｃ，…は通信事業者Ｃによって設置された基地局である。通信事業者Ａが提供する通信エリアＣＡ＿Ａは基地局６２ａ，６２ａ，…によって形成され、通信事業者Ｂが提供する通信エリアＣＡ＿Ｂは基地局６２ｂ，６２ｂ，…によって形成され、通信事業者Ｃが提供する通信エリアＣＡ＿Ｃは基地局６２ｃ，６２ｃ，…によって形成される。
【００２４】
なお、通信事業者Ａ，ＢおよびＣの少なくとも１つは、ＭＶＮＯ(Mobile Virtual Network Operator)のような仮想移動体通信事業者である。
【００２５】
クルーズ船は、観光目的で来日する数百人の観光客を乗せて上海港−博多港間を往復する船舶である。上海港から博多港までの航行時間は約３９時間である。したがって、クルーズ船が１日目の１７:００に上海港を出港すると、２日目は終日クルージングとなり、３日目の８:００に博多港に到着する。観光客は、３日目の午前・午後を利用して博多界隈を観光したり、バスで九州各地を観光したりする。クルーズ船は、３日目の１９：００に博多港を出港し、４日目の終日クルージングを経て、５日目の１０:００に上海港に到着する。
【００２６】
クルーズ船には医務室が設けられており、本来の診療・治療行為は医務室に常駐する医師および看護師によって提供される。この実施形態のクルーズ船には、このような医師および看護師以外に、洋上ＭＲＩシステム１０を利用した健康診断に専従する専門医，放射線技師および看護師が搭乗する。専門医，放射線技師および看護師は、日本人である必要はなく、日本で研修を受けることでジャパン・クォリティの撮影等を行う技量を身に付けた外国人であってもよい。
【００２７】
インターネット５０には、画像ファイル（ＤＩＣＯＭファイル）および読影レポートを保存する読影サーバ２０が接続され、さらに複数の読影医によってそれぞれ操作される複数の読影端末３０，３０，…が接続される。インターネット５０にはまた、洋上ＭＲＩシステム１０をなすモダリティ１２（後述）を保守・管理するための保守・管理サーバ４０が接続される。
【００２８】
なお、読影サーバ２０および保守管理・サーバ４０のいずれも、日本または外国の領土に固定的に配される。また、読影端末３０は、日本または外国の領土に固定的に配されるか、或いは図示しない移動体通信網を介してインターネット５０と接続できるように読影医によって所持される。
【００２９】
図２に示すように、洋上ＭＲＩシステム１０は、バス１８を介して互いに接続されたモダリティ（医用画像機器ないし医用画像診断装置）１２，コンソール１４，および通信用ゲートウェイ（健康診断支援装置）１６によって構成される。なお、この実施形態ではモダリティ１２としてＭＲＩ装置を想定しているが、ＭＲＩ装置をＸ線ＣＴ装置，超音波診断装置等に代替させるようにしてもよい。
【００３０】
コンソール１４は、図３に示すように構成される。図２に示すバス１８は、入出力Ｉ／Ｆ１４０１を介してバス１４０７と接続される。また、バス１４０７には、ＣＰＵ１４０２，ＤＲＡＭ１４０３，ディスプレイ装置１４０４，キーボード／マウス１４０５および主記憶装置１４０６が接続される。
【００３１】
航海中の空き時間を利用した健康診断を希望する一部の観光客がＭＲＩ室を訪れると、専門医または放射線技師は、当該観光客を被検者として頭部ＭＲＩ検査を行うべく、被検者をモダリティ１２に寝かせた状態でコンソール１４を操作する。具体的には、専門医または放射線技師は、ディスプレイ装置１４０４に表示された検査画面を見ながらキーボード／マウス１４０５を操作し、モダリティ１２に断層撮影を指示する。
【００３２】
モダリティ１２は、１回の頭部ＭＲＩ検査で約３０分かけて３００フレームの断層撮影を行い、これによって得られた各フレームの断層画像をコンソール１４に転送する。転送された断層画像は、入出力Ｉ／Ｆ１４０１を経てＤＲＡＭ１４０３に書き込まれる。
【００３３】
ＣＰＵ１４０２は、ＤＲＡＭ１４０３に書き込まれた各フレームの断層画像を圧縮し、圧縮画像を収めた画像ファイルを主記憶装置１４０６に保存する。このとき、各々の画像ファイルのサイズは約２５Ｋバイトであり、３００個の画像ファイルからなるファイルセットのサイズは約７．５Ｍバイトとなる。各々の画像ファイルのヘッダには、キーボード／マウス１４０５によって入力された被検者ＩＤが埋め込まれる。したがって、或るファイルセットをなす３００個の画像ファイルは、共通の被検者ＩＤによって互いに関連付けられる。なお、被検者ＩＤとしては、たとえば旅券番号が用いられる。
【００３４】
上述した航行スケジュールを踏まえると、健康診断は、２日目の９：００から１７：００までの８時間に実施される。１回の頭部ＭＲＩ検査には約３０分を要し、これによって得られるファイルセットのサイズは約７．５Ｍバイトであるため、１日の健康診断で頭部ＭＲＩ検査を受けることができる被検者数は最大１６人（＝２人×８時間）となり、１日の健康診断で作成される１６個のファイルセットの総サイズは約１２０Ｍバイト（＝約７．５Ｍバイト×１６人）となる。
【００３５】
通信用ゲートウェイ１６は、図４に示すように構成される。図２に示すバス１８は、入出力Ｉ／Ｆ１６０１を介してバス１６０７と接続される。また、バス１６０７には、ＣＰＵ１６０２，ＤＲＡＭ１６０３，主記憶装置１６０４，無線通信回路１６０５＿１〜１６０５＿９および衛星通信回路１６０６が接続される。
【００３６】
主記憶装置１６０４には、図５（Ａ）に示す送信予約リストＬ１が設けられる。１回の頭部ＭＲＩ検査が完了すると、この検査の際に入力された被検者ＩＤがコンソール１４から通信用ゲートウェイ１６に通知され、送信予約リストＬ１に記載される。
【００３７】
表１に示すように、無線通信回路１６０５＿１〜１６０５＿３には、通信事業者Ａによって提供された３つの通信回線ＬＡ＿１〜ＬＡ＿３がそれぞれ割り当てられる。また、無線通信回路１６０５＿４〜１６０５＿６には、通信事業者Ｂによって提供された３つの通信回線ＬＢ＿１〜ＬＢ＿３がそれぞれ割り当てられる。さらに、無線通信回路１６０５＿７〜１６０５＿９には、通信事業者Ｃによって提供された３つの通信回線ＬＣ＿１〜ＬＣ＿３がそれぞれ割り当てられる。
【００３８】
なお、表１に示す“キャリア”は通信事業者（ＭＶＮＯを含む）と同義である。また、たとえば通信事業者ＡがＭＶＮＯである場合、無線通信回路１６０５＿１〜１６０５＿３としてどのような回路を選択するかは当該ＭＶＮＯに委ねられる。さらに、通信事業者Ａ〜Ｃの各々によって提供される通信回線の数は、２回線以上である限り、互いに一致する必要はない。
【００３９】
【表１】
2017083972.tif 000003
【００４０】
また、通信事業者Ａ，ＢおよびＣによって提供される通信エリアＣＡ＿Ａ，ＣＡ＿ＢおよびＣＡ＿Ｃは、九州北西部の沿岸周辺において図６に示すように分布する。クルーズ船は、航路ＮＬ１に沿って航行する。
【００４１】
これを踏まえて、ＣＰＵ１６０２は、コンソール１４によって作成されたファイルセットを読影サーバ２０にアップロードするアップロード処理、アップロードされたファイルセットをなす画像ファイル内の断層画像を読影する読影医によって作成された読影レポートを読影サーバ２０からダウンロードするダウンロード処理、およびモダリティ１２の保守・管理を支援する保守・管理支援処理を、以下の要領で実行する。
【００４２】
クルーズ船が通信エリアＣＡ＿Ａ，ＣＡ＿ＢまたはＣＡ＿Ｃに進入すると、ＣＰＵ１６０２は、送信予約リストＬ１に記載された被検者ＩＤのファイルセットを入出力Ｉ／Ｆ１６０１を通してコンソール１４から取得する。取得されたファイルセットは、ＤＲＡＭ１６０３を介して主記憶装置１６０４に保存される。
【００４３】
保存されたファイルセットはその後、無線通信回路１６０５＿１〜１６０５＿９の少なくとも１つ（＝通信回線ＬＡ＿１〜ＬＡ＿３，ＬＢ＿１〜ＬＢ＿３，ＬＣ＿１〜ＬＣ＿３の少なくとも１つ）を使用して、移動体通信網６０経由で読影サーバ２０にアップロードされる。
【００４４】
ここで、無線通信回路１６０５＿１〜１６０５＿９のいずれを使用するか（＝通信回線ＬＡ＿１〜ＬＡ＿３，ＬＢ＿１〜ＬＢ＿３，ＬＣ＿１〜ＬＣ＿３のいずれを使用するか）は、クルーズ船の現在位置によって異なり、さらに現在位置の時刻が混雑時間帯（２１：００ｐｍ〜２４：００ｐｍ）に属するか否かによって異なる。また、送信予約リストＬ１上の被検者ＩＤは、ファイルセットのアップロードが完了する毎に削除される。図５（Ｂ）に示す未受信レポートリストＬ２には、削除された被検者ＩＤと同じ被検者ＩＤが追記される。
【００４５】
上述のように、１日の健康診断で作成されるファイルセットの総サイズは約１２０Ｍバイトである。４Ｇ通信の速度を５Ｍｂｐｓ（６２５Ｋバイト／秒）と仮定すると、１日分のファイルセットのアップロードは約３分で完了する。
【００４６】
読影医は、読影端末３０を操作して読影サーバ２０からファイルセットを取得する。ファイルセットは、インターネット５０を介して読影端末３０にダウンロードされる。読影医は、ファイルセットをなす３００個の画像ファイルの各々に収められた断層画像を読影して読影レポートを作成し、作成した読影レポートをインターネット５０を介して読影サーバ２０にアップロードする。読影医によって作成された読影レポートには、読影対象のファイルセットに割り当てられた被検者ＩＤと同じ被検者ＩＤが記載される。また、読影レポートは、日本人および中国人の両者に馴染みのある言語である英語で作成される。
【００４７】
読影サーバ２０に保存された読影レポートもまた、クルーズ船が通信エリアＣＡ＿Ａ，ＣＡ＿ＢまたはＣＡ＿Ｃに存在するときに、移動体通信網６０を経由して、通信用ゲートウェイ１６にダウンロードされる。このときも、読影レポートは、無線通信回路１６０５＿１〜１６０５＿９の少なくとも１つ（＝通信回線ＬＡ＿１〜ＬＡ＿３，ＬＢ＿１〜ＬＢ＿３，ＬＣ＿１〜ＬＣ＿３の少なくとも１つ）を使用して受信される。
【００４８】
無線通信回路１６０５＿１〜１６０５＿９のいずれをダウンロードに使用するか（＝通信回線ＬＡ＿１〜ＬＡ＿３，ＬＢ＿１〜ＬＢ＿３，ＬＣ＿１〜ＬＣ＿３のいずれを使用するか）は、クルーズ船の現在位置によって異なり、さらに現在位置の時刻が混雑時間帯に属するか否かによって異なる。
【００４９】
受信された読影レポートは、ＤＲＡＭ１６０３を介して主記憶装置１６０４に保存される。未受信レポートリストＬ２に記載された被検者ＩＤは、これと同じ被検者ＩＤが記載された読影レポートのダウンロードに応答して削除される。
【００５０】
クルーズ船に搭乗した専門医または放射線技師は、こうしてダウンロードされた読影レポートを図示しないプリンタによって印刷し、印刷された読影レポートを被検者に手渡す。健康診断は、読影レポートが被検者に渡された時点で完了する。
【００５１】
モダリティ１２に異常が発生すると、ＭＲＩ検査を実施できなくなる。そこで、通信用ゲートウェイ１６は、コンソール１４を介してモダリティ１２の状態を検査し、異常が発生するおそれがあること（モダリティ１２の状態が所定条件に合致すること）を検知したときにモダリティ１２の状態を示す状態情報を保守・管理サーバ４０にアップロードする。このとき、通信エリアＣＡ＿Ａ，ＣＡ＿ＢおよびＣＡ＿Ｃのいずれの圏外であってもアップロードが可能なように、通信衛星６４の使用が許可される。この場合、衛星通信回路１６０６に割り当てられた衛星回線が通信衛星６４と接続される。この結果、モダリティ１２の保守・管理業者は、クルーズ船が博多港に着岸したときにモダリティ１２の復旧作業を速やかに実施できる。
【００５２】
なお、モダリティ１２の状態を示す状態情報は、モダリティ１２に異常が発生するおそれがあるときに限らず、キャリブレーション，メンテナンス，部品交換等が必要な時期が到来したときにアップロードするようにしてもよい。
【００５３】
通信用ゲートウェイ１６に設けられたＣＰＵ１６０２は、具体的には、図７〜図８に示すフロー図に従ってアップロード処理を実行し、図９〜図１０に示すフロー図に従ってダウンロード処理を実行し、図１３に示すフロー図に従って保守・管理支援処理を実行する。アップロード処理およびダウンロード処理は、クルーズ船が九州北西部の沿岸周辺を航行中か博多港に着岸しているときに、所定のインターバルで間欠的に起動される。また、保守・管理処理は、クルーズ船の位置に関係なく１時間毎に実行される。
【００５４】
なお、図１１〜図１２は、アップロード処理またはダウンロード処理の途中で実行されるサブルーチンである。また、図７〜図１３に示すフロー図に対応する制御プログラムは、主記憶装置１６０４に記憶される。
【００５５】
図７を参照して、ステップＳ１ではクルーズ船が通信エリアＣＡ＿Ａ，ＣＡ＿ＢまたはＣＡ＿Ｃに存在するか否かを判別する。この判別処理では、図示しないＧＰＳ装置で検出された位置情報が参照される。クルーズ船が通信エリアＣＡ＿Ａ，ＣＡ＿ＢおよびＣＡ＿Ｃのいずれからも外れていれば、ステップＳ１でＮＯと判別し、今回のアップロード処理を終了する。
【００５６】
これに対して、クルーズ船が通信エリアＣＡ＿Ａ，ＣＡ＿ＢまたはＣＡ＿Ｃに存在すれば、ステップＳ１からステップＳ３に進み、少なくとも１つの被検者ＩＤが送信予約リストＬ１に記載されているか否かを判別する。
【００５７】
判別結果がＮＯであれば、アップロードすべき画像ファイルは存在しないとみなし、今回のアップロード処理を終了する。これに対して、判別結果がＹＥＳであれば、アップロードすべき画像ファイルが主記憶装置１６０４に存在するとみなし、ステップＳ５に進む。ステップＳ５では、アップロードに使用する無線通信回路を無線通信回路１６０５＿１〜１６０５＿９の中から選択するべく、図１１〜図１２に示すサブルーチン（後述）を実行する。
【００５８】
ステップＳ７では、ステップＳ５で選択された無線通信回路を対象として接続確立処理を実行する。選択された無線通信回路の通信回線は、この通信回線を提供する通信事業者の基地局との接続を試行される。
【００５９】
たとえば、通信エリアＣＡ＿Ａ，ＣＡ＿ＢおよびＣＡ＿Ｃの重複エリアをクルーズ船が航行しており、無線通信回路１６０５＿１，１６０５＿４および１６０５＿７がステップＳ５で選択された場合は、通信回線ＬＡ＿１と基地局６２ａ，６２ａ，…のいずれか１つとの接続が試行され、通信回線ＬＢ＿１と基地局６２ｂ，６２ｂ，…のいずれか１つとの接続が試行され、通信回線ＬＣ＿１と基地局６２ｃ，６２ｃ，…のいずれか１つとの接続が試行される。なお、どのように接続を試行するかは、通信事業者Ａ〜Ｃの各々の仕様に従う。
【００６０】
ステップＳ９では、少なくとも１つの通信回線の接続に成功したか否かを判別する。判別結果がＮＯであれば、つまりいずれの通信回線も基地局に接続されなければ、今回のアップロード処理を終了する。これに対して、判別結果がＹＥＳであれば、つまり少なくとも１つの通信回線が基地局に接続されれば、ステップＳ１１に進む。
【００６１】
ステップＳ１１では、未送信状態にある１または２以上の画像ファイルが主記憶装置１６０４に残っているか否かを判別する。この処理は、前回のアップロード処理の対象となったファイルセットのアップロードが完了する前に全ての通信回線の接続が切断されたか否かを判別する処理に相当する。判別結果がＹＥＳであればそのままステップＳ１５に進み、判別結果がＮＯであればステップＳ１３で次の処理を実行してからステップＳ１５に進む。
【００６２】
ステップＳ１３では、送信予約リストＬ１に登録された最上位の被検者ＩＤに対応するファイルセットをコンソール１４の主記憶装置１４０６から取得する。取得されたファイルセットは対象ファイルセットとなり、対象ファイルセットをなす３００個の画像ファイルは、ＤＲＡＭ１６０３を介して主記憶装置１６０４に保存される。
【００６３】
ステップＳ１５では、主記憶装置１６０４において未送信状態にあるいずれか１つの画像ファイルを送信対象ファイルとして読み出し、読み出された送信対象ファイルを読影サーバ２０にアップロードする。アップロードには、接続中の１または２以上の通信回線が利用される。
【００６４】
たとえば通信回線ＬＡ＿１，ＬＢ＿１およびＬＣ＿１が接続中である場合、送信対象ファイルをなす一部のパケットは通信回線ＬＡ＿１を介して読影サーバ２０に送信され、送信対象ファイルをなす他の一部のパケットは通信回線ＬＢ＿１を介して読影サーバ２０に送信され、送信対象ファイルをなすその他の一部のパケットは通信回線ＬＣ＿１を介して読影サーバ２０に送信される。
【００６５】
ステップＳ１７では送信対象ファイルのアップロードに成功したか否かを判別し、ステップＳ１９では送信対象ファイルのアップロードに失敗したか否かを判別する。ステップＳ１７の判別結果およびステップＳ１９の判別結果のいずれもがＮＯであればステップＳ１７に戻り、ステップＳ１７の判別結果がＹＥＳであればステップＳ２１に進み、ステップＳ１９の判別結果がＹＥＳであれば今回のアップロード処理を終了する。
【００６６】
ステップＳ１９の判別結果は、送信対象ファイルのアップロードが完了する前に接続中の全ての通信回線が切断されたときにＹＥＳとなる。このとき、対象ファイルセットをなす３００個の画像ファイルの少なくとも１つが、未送信状態のまま主記憶装置１６０４に残存する。したがって、次回のアップロード処理で実行されるステップＳ１１の判別結果は、ＹＥＳを示す。
【００６７】
ステップＳ２１では対象ファイルセットのアップロードが完了したか否かを判別し、判別結果がＮＯであればステップＳ１５に戻る一方、判別結果がＹＥＳであればステップＳ２３に進む。ステップＳ２３では、送信予約リストＬ１および未受信レポートリストＬ２を更新する。具体的には、送信予約リストＬ１の最上位に記載された被検者ＩＤを削除し、削除された被検者ＩＤと同じ被検者ＩＤを未受信レポートリストＬ２に追記する。
【００６８】
ステップＳ２５では、少なくとも１つの被検者ＩＤが送信予約リストＬ１に残っているか否かを判別する。判別結果がＹＥＳであれば、ステップＳ２７でステップＳ１３と同様の処理を実行し、その後にステップＳ１５に戻る。これに対して、判別結果がＮＯであれば、接続中の通信回線の全てをステップＳ２９で切断し、その後に今回のアップロード処理を終了する。
【００６９】
図９を参照して、ステップＳ３１ではクルーズ船が通信エリアＣＡ＿Ａ，ＣＡ＿ＢまたはＣＡ＿Ｃに存在するか否かを判別する。この判別処理でも、図示しないＧＰＳ装置で検出された位置情報が参照される。クルーズ船が通信エリアＣＡ＿Ａ，ＣＡ＿ＢおよびＣＡ＿Ｃのいずれからも外れていれば、ステップＳ３１でＮＯと判別し、今回のアップロード処理を終了する。
【００７０】
これに対して、クルーズ船が通信エリアＣＡ＿Ａ，ＣＡ＿ＢまたはＣＡ＿Ｃに存在すれば、ステップＳ３１からステップＳ３３に進み、少なくとも１つの被検者ＩＤが未受信レポートリストＬ２に記載されているか否かを判別する。
【００７１】
判別結果がＮＯであれば、ダウンロードすべき読影レポートは存在しないとみなし、今回のダウンロード処理を終了する。これに対して、判別結果がＹＥＳであれば、ダウンロードすべき読影レポートが存在するとみなし、ステップＳ３５に進む。ステップＳ３５では、ダウンロードに使用する無線通信回路を無線通信回路１６０５＿１〜１６０５＿９の中から選択するべく、図１１〜図１２に示すサブルーチン（後述）を実行する。
【００７２】
ステップＳ３７では、ステップＳ３５で選択された無線通信回路を対象として接続確立処理を実行する。選択された無線通信回路の通信回線は、この通信回線を提供する通信事業者の基地局との接続を試行される。上述と同様、たとえば無線通信回路１６０５＿３，１６０５＿６および１６０５＿９がステップＳ３５で選択された場合は、通信回線ＬＡ＿３と基地局６２ａ，６２ａ，…のいずれか１つとの接続が試行され、通信回線ＬＢ＿３と基地局６２ｂ，６２ｂ，…のいずれか１つとの接続が試行され、通信回線ＬＣ＿３と基地局６２ｃ，６２ｃ，…のいずれか１つとの接続が試行される。
【００７３】
ステップＳ３９では、少なくとも１つの通信回線の接続に成功したか否かを判別する。判別結果がＮＯであれば、つまりいずれの通信回線も基地局に接続されなければ、今回のダウンロード処理を終了する。これに対して、判別結果がＹＥＳであれば、つまり少なくとも１つの通信回線が基地局に接続されれば、ステップＳ４１に進む。
【００７４】
ステップＳ４１では、接続された１または２以上の通信回線を利用して読影サーバ２０から読影レポートをダウンロードする。たとえば通信回線ＬＡ＿３，ＬＢ＿３およびＬＣ＿３が接続中である場合、読影レポートをなす一部のパケットは通信回線ＬＡ＿３を介して受信され、読影レポートをなす他の一部のパケットは通信回線ＬＢ＿３を介して受信され、読影レポートをなすその他の一部のパケットは通信回線ＬＣ＿３を介して受信される。
【００７５】
ステップＳ４３では読影レポートのダウンロードに成功したか否かを判別し、ステップＳ４５では読影レポートのダウンロードに失敗したか否かを判別する。ステップＳ４３の判別結果およびステップＳ４５の判別結果のいずれもがＮＯであればステップＳ４３に戻り、ステップＳ４３の判別結果がＹＥＳであればステップＳ４７に進み、ステップＳ４５の判別結果がＹＥＳであれば今回のダウンロード処理を終了する。なお、ステップＳ４５の判別結果は、１つの読影レポートのダウンロードが完了する前に接続中の全ての通信回線が切断されたときにＹＥＳとなる。
【００７６】
ステップＳ４７では、ダウンロードされた読影レポート上の被検者ＩＤと同じ被検者ＩＤを削除するべく、未受信レポートリストＬ２を更新する。ステップＳ４９では接続中の通信回線の全てを切断し、その後に今回のダウンロード処理を終了する。
【００７７】
図１１〜図１２に示すサブルーチンを参照して、まずステップＳ５１では、クルーズ船が通信エリアＣＡ＿Ａに存在するか否かを判別し、判別結果がＮＯであればそのままステップＳ５９に進む一方、判別結果がＹＥＳであればステップＳ５３〜Ｓ５７の処理を経てステップＳ５９に進む。ステップＳ５３では現在時刻が混雑時間帯に属するか否かを判別する。判別結果がＹＥＳであればステップＳ５５に進み、通信事業者Ａに対応する無線通信回路１６０５＿１〜１６０５＿３の一部をアップロードに使用する無線通信回路として選択する。これに対して、判別結果がＮＯであればステップＳ５７に進み、通信事業者Ａに対応する無線通信回路１６０５＿１〜１６０５＿３の全てをアップロードに使用する無線通信回路として選択する。
【００７８】
ステップＳ５９では、クルーズ船が通信エリアＣＡ＿Ｂに存在するか否かを判別し、判別結果がＮＯであればそのままステップＳ６７に進む一方、判別結果がＹＥＳであればステップＳ６１〜Ｓ６５の処理を経てステップＳ６７に進む。ステップＳ６１では現在時刻が混雑時間帯に属するか否かを判別する。判別結果がＹＥＳであればステップＳ６３に進み、通信事業者Ｂに対応する無線通信回路１６０５＿４〜１６０５＿６の一部をアップロードに使用する無線通信回路として選択する。これに対して、判別結果がＮＯであればステップＳ６５に進み、通信事業者Ｂに対応する無線通信回路１６０５＿４〜１６０５＿６の全てをアップロードに使用する無線通信回路として選択する。
【００７９】
ステップＳ６７では、クルーズ船が通信エリアＣＡ＿Ｃに存在するか否かを判別し、判別結果がＮＯであればそのまま上階層のルーチンに復帰する一方、判別結果がＹＥＳであればステップＳ６１〜Ｓ６５の処理を経て上階層のルーチンに復帰する。ステップＳ６９では現在時刻が混雑時間帯に属するか否かを判別する。判別結果がＹＥＳであればステップＳ７１に進み、通信事業者Ｃに対応する無線通信回路１６０５＿７〜１６０５＿９の一部をアップロードに使用する無線通信回路として選択する。これに対して、判別結果がＮＯであればステップＳ７３に進み、通信事業者Ｃに対応する無線通信回路１６０５＿７〜１６０５＿９の全てをアップロードに使用する無線通信回路として選択する。
【００８０】
したがって、いずれの無線通信回路を選択するかは、クルーズ船の現在位置および現在位置の時刻を検出しつつ、通信事業者毎に変更される。特に、現在位置の時刻が混雑時間帯に属していれば、選択される無線通信回路の数が抑制される。
【００８１】
図１３を参照して、ステップＳ８１ではモダリティ１２の状態を検査し、ステップＳ８３ではモダリティ１２に異常が発生するおそれがあるか否かを判別する。判別結果がＮＯであれば今回の保守・管理支援処理を終了し、判別結果がＹＥＳであればステップＳ８５に進む。
【００８２】
ステップＳ８５では無線通信回路１６０５＿１〜１６０５＿９の全てを対象として接続確立処理を実行し、ステップＳ８７では少なくとも１つの通信回線の接続に成功したか否かを判別する。判別結果がＹＥＳであれば、そのままステップＳ９１に進む。これに対して、判別結果がＮＯであれば、ステップＳ８９で衛星通信回路１６０６と通信衛星６４との接続を確立し、その後にステップＳ９１に進む。
【００８３】
ステップＳ９１では、モダリティ１２の状態を示す状態情報を保守・管理サーバ４０にアップロードする。アップロードには、接続中の通信回線が利用される。たとえば通信回線ＬＡ＿１が接続中であれば、状態情報は通信回線ＬＡ＿１を介して保守・管理サーバ４０に送信される。また、衛星回線が接続中であれば、状態情報は衛星回線を介して保守・管理サーバ４０に送信される。
【００８４】
ステップＳ９３では状態情報のアップロードに成功したか否かを判別し、ステップＳ９５では状態情報のアップロードに失敗したか否かを判別する。ステップＳ９３の判別結果およびステップＳ９５の判別結果のいずれもがＮＯであればステップＳ９３に戻り、ステップＳ９３の判別結果がＹＥＳであればステップＳ９７に進み、ステップＳ９５の判別結果がＹＥＳであれば今回の保守・管理処理を終了する。ステップＳ９７では、接続中の通信回線の全てを切断し、その後に今回の保守・管理処理を終了する。なお、ステップＳ９５の判別結果は、状態情報のアップロードが完了する前に接続中の全ての通信回線が切断されたときにＹＥＳとなる。
【００８５】
以上の説明から分かるように、コンソール１４および通信用ゲートウェイ１６は、クルーズ船の乗客を被検者として断層画像を撮影するモダリティ１２とともに、クルーズ船に搭載される。ここで、通信用ゲートウェイ１６に設けられたＣＰＵ１６０２は、断層画像が各々に収められた複数の画像ファイルからなるファイルセットを、移動体通信網６０を介して読影サーバ２０にアップロードする(S7~S29)。ＣＰＵ１６０２はまた、アップロードによって読影サーバ２０に蓄積されたファイルセットの断層画像を読影する読影医によって作成されかつ読影サーバ２０に保存された読影レポートを、移動体通信網６０を介してダウンロードする(S37~S49)。
【００８６】
より詳しくは、通信用ゲートウェイ１６は、通信事業者Ａによって提供された通信回線ＬＡ＿１〜ＬＡ＿３がそれぞれ割り当てられた無線通信回路１６０５＿１〜１６０５＿３と、通信事業者Ｂによって提供された通信回線ＬＢ＿１〜ＬＢ＿３がそれぞれ割り当てられた無線通信回路１６０５＿４〜１６０５＿６と、通信事業者Ｃによって提供された通信回線ＬＣ＿１〜ＬＣ＿３がそれぞれ割り当てられた無線通信回路１６０５＿７〜１６０５＿９とを備える。
【００８７】
ファイルセットのアップロードおよび読影レポートのダウンロードには、無線通信回路１６０５＿１〜１６０５＿９の少なくとも１つが使用される。いずれの無線通信回路を使用するかは、クルーズ船の現在位置および現在位置の時刻を検出しつつ、通信事業者毎に適応的に変更される。
【００８８】
ダウンロードされた読影レポートは、船内で被検者に手渡される。この結果、クルーズ船の乗客は、航海中の空き時間を利用して気軽にジャパン・クォリティの健康診断を受けることができる。
【符号の説明】
【００８９】
１０  …洋上ＭＲＩシステム
１２  …モダリティ
１４  …コンソール
１６  …通信用ゲートウェイ
２０  …読影サーバ
３０  …読影端末
４０  …保守・管理サーバ
５０  …移動体通信網
１６０２  …ＣＰＵ
１６０５＿１〜１６０５＿９  …無線通信回路
１６０６  …衛星通信回路
【図１】
2017083972.tif 000004
【図２】
2017083972.tif 000005
【図３】
2017083972.tif 000006
【図４】
2017083972.tif 000007
【図５】
2017083972.tif 000008
【図６】
2017083972.tif 000009
【図７】
2017083972.tif 000010
【図８】
2017083972.tif 000011
【図９】
2017083972.tif 000012
【図１０】
2017083972.tif 000013
【図１１】
2017083972.tif 000014
【図１２】
2017083972.tif 000015
【図１３】
2017083972.tif 000016